【手続補正書】
【提出日】平成31年3月26日(2019.3.26)
【手続補正１】
【補正対象書類名】特許請求の範囲
【補正対象項目名】全文
【補正方法】変更
【補正の内容】
【特許請求の範囲】
【請求項１】
記録媒体上における第１画像の上に第２画像を重ねて画像を形成するための画像データを生成する画像処理装置であって、
色材により再現される第１の色と、色材により再現される、前記第１の色とは異なる第２の色と、を含む色情報を取得する第１取得手段と、
第１領域と第２領域とが混在して含まれる第３領域を１つの領域として知覚される解像度で複数配置した前記第１画像を示す第１画像データを取得する第２取得手段と、
前記色情報と前記第１画像データとに基づき、前記第１領域に前記第１の色が配置され、前記第２領域に前記第２の色が配置される前記第２画像を形成するための第２画像データを生成する第１生成手段と、を有し、
前記第２取得手段は、入射光の反射方向のうち所定の１つの方向における、前記第１領域での前記入射光の反射強度と前記第２領域での前記入射光の反射強度との比率が、前記反射方向のうち前記所定の１つの方向とは異なる１つの方向における前記比率と異なる比率となる前記第１画像データを取得することを特徴とする画像処理装置。
【請求項２】
前記第３領域には、前記第１領域と、前記入射光の正反射方向で前記第１領域よりも前記入射光の反射強度が大きく、かつ、前記入射光の非正反射方向で前記第１領域よりも前記入射光の反射強度が小さい第２領域と、が混在して含まれることを特徴とする請求項１に記載の画像処理装置。
【請求項３】
前記第２領域は金属光沢を有する領域であり、前記第１領域は金属光沢を有しない領域であることを特徴とする請求項１又は請求項２に記載の画像処理装置。
【請求項４】
前記第２領域は金属を含有する記録材により形成される領域であり、前記第１領域は記録材が記録されていない領域であることを特徴とする請求項３に記載の画像処理装置。
【請求項５】
前記第１の色と前記第２の色との少なくとも一方は、混色によって再現されることを特徴とする請求項１乃至請求項４のいずれか一項に記載の画像処理装置。
【請求項６】
入力画像データと、前記入力画像データが示す色を補正する色補正情報と、を入力する第１入力手段と、
前記入力画像データと前記色補正情報とに基づき、前記色情報を生成する第２生成手段と、をさらに有し、
前記第１取得手段は、前記第２生成手段によって生成された前記色情報を取得することを特徴とする請求項１乃至請求項５のいずれか一項に記載の画像処理装置。
【請求項７】
前記色情報は、前記第１の色及び前記第２の色とは異なる少なくとも１種類の色をさらに含み、
前記第１生成手段は、少なくとも１種類の領域に前記少なくとも１種類の色を配置して前記第２画像データを生成し、
前記少なくとも１種類の領域は、前記第３領域に含まれ、前記入射光の非正反射方向では前記入射光の反射強度が前記第１領域における前記入射光の反射強度よりも小さく、前記第２領域における前記入射光の反射強度よりも大きく、前記入射光の正反射方向では前記入射光の反射強度が前記第１領域における前記入射光の反射強度よりも大きく、前記第２領域における前記入射光の反射強度よりも小さいことを特徴とする請求項２乃至請求項６のいずれか一項に記載の画像処理装置。
【請求項８】
前記第１の色は、前記第２の色と色相が異なる色であることを特徴とする請求項１乃至請求項７のいずれか一項に記載の画像処理装置。
【請求項９】
前記第１の色及び前記第２の色に基づき、前記第１領域と前記第２領域との、前記第１画像を占める面積比率を決定する決定手段と、
前記面積比率に基づき、前記第１画像データを生成する第２生成手段と、をさらに有し、
前記第２取得手段は、前記第２生成手段によって生成された前記第１画像データを取得することを特徴とする請求項１乃至請求項８のいずれか一項に記載の画像処理装置。
【請求項１０】
前記第１の色と前記第２の色とで、どちらの色を優先して再現するかを示す優先度合いを入力する第２入力手段をさらに有し、
前記決定手段は、さらに前記優先度合いに基づき、前記面積比率を決定することを特徴とする請求項９に記載の画像処理装置。
【請求項１１】
前記第１画像データと前記第２画像データとに基づき、前記第１画像と前記第２画像とを前記記録媒体上に形成する形成手段をさらに有することを特徴とする請求項１乃至請求項１０のいずれか一項に記載の画像処理装置。
【請求項１２】
前記形成手段は、シルバーメディア上にホワイトインクを記録することによって前記第１画像を形成し、前記シルバーメディア上又は記録された前記ホワイトインク上にカラーインクを記録することによって前記第２画像を形成することを特徴とする請求項１１に記載の画像処理装置。
【請求項１３】
前記形成手段は、ホワイトメディア上にシルバーインクを記録することによって前記第１画像を形成し、前記ホワイトメディア上又は記録された前記シルバーインク上にカラーインクを記録することによって前記第２画像を形成することを特徴とする請求項１１に記載の画像処理装置。
【請求項１４】
第１の色と、前記第１の色とは異なる第２の色と、を含む色情報を取得する取得手段と、
前記第１の色を発色する、記録媒体上での色材の積層構造である第１構造を表す第１データを生成する第１生成手段と、
前記第２の色を発色する、前記記録媒体上での色材の積層構造である第２構造を表す第２データを生成する第２生成手段と、
前記第１データと前記第２データとに基づき、前記第１構造が前記記録媒体上で占める第１領域と、前記第２構造が前記記録媒体上で占める第２領域と、が混在して含まれる領域を１つの領域として知覚される解像度で複数配置されるように、前記第１構造と前記第２構造とを前記記録媒体上に配置するための配置データを生成する第３生成手段と、を有し、
前記第１構造は無彩色の記録材の上に色材が積層された構造であり、前記第２構造は色材が積層された構造であることを特徴とする画像処理装置。
【請求項１５】
前記記録媒体上に前記第１構造と前記第２構造とを形成する形成手段をさらに有することを特徴とする請求項１４に記載の画像処理装置。
【請求項１６】
前記形成手段は、前記記録媒体としてのシルバーメディアと、前記無彩色の記録材としてのホワイトインクと、前記色材としてのカラーインクと、を用いることによって前記第１構造と前記第２構造とを形成し、
前記第１構造は前記第２構造よりも用いる前記ホワイトインクの量が多いことを特徴とする請求項１５に記載の画像処理装置。
【請求項１７】
前記形成手段は、前記無彩色の記録材としてのシルバーインクと、前記記録媒体としてのホワイトメディアと、前記色材としてのカラーインクと、を用いることによって前記第１構造と前記第２構造とを形成し、
前記第２構造は前記第１構造よりも用いる前記シルバーインクの量が多いことを特徴とする請求項１５に記載の画像処理装置。
【請求項１８】
前記第１の色及び前記第２の色に基づき、前記第１領域と前記第２領域との、前記第１画像を占める面積比率を決定する決定手段をさらに有し、
前記第３生成手段は、さらに前記面積比率に基づき、前記配置データを生成することを特徴とする請求項１４乃至請求項１７のいずれか一項に記載の画像処理装置。
【請求項１９】
前記第１の色と前記第２の色とで、どちらの色を優先して再現するかを示す優先度合いを入力する入力手段をさらに有し、
前記決定手段は、さらに前記優先度合いに基づき、前記面積比率を決定することを特徴とする請求項１８に記載の画像処理装置。
【請求項２０】
記録媒体上における第１画像の上に第２画像を重ねて画像を形成するための画像データを生成する画像処理装置であって、
色材により再現される第１の色と、色材により再現される、前記第１の色とは異なる第２の色と、を含む色情報を取得する第１取得手段と、
第１領域と第２領域とが混在して含まれる第３領域を３０ｄｐｉ以上の解像度で複数配置した前記第１画像を示す第１画像データを取得する第２取得手段と、
前記色情報と前記第１画像データとに基づき、前記第１領域に前記第１の色が配置され、前記第２領域に前記第２の色が配置される前記第２画像を形成するための第２画像データを生成する第１生成手段と、を有し、
前記第２取得手段は、入射光の反射方向のうち所定の１つの方向における、前記第１領域での前記入射光の反射強度と前記第２領域での前記入射光の反射強度との比率が、前記反射方向のうち前記所定の１つの方向とは異なる１つの方向における前記比率と異なる比率となる前記第１画像データを取得することを特徴とする画像処理装置。
【請求項２１】
前記第２取得手段は、前記第３領域を５１ｄｐｉ以上の解像度で複数配置した前記第１画像を示す前記第１画像データを取得することを特徴とする請求項２０に記載の画像処理装置。
【請求項２２】
印刷装置であって、
画像データを用いて画像を形成する形成手段を有し、
前記画像データは、
第１領域と、入射光の正反射方向で前記第１領域よりも前記入射光の反射強度が大きく、かつ、前記入射光の非正反射方向で前記第１領域よりも前記入射光の反射強度が小さい第２領域と、が混在して含まれる領域を１つの領域として知覚される解像度で複数配置した前記第１画像を示す第１画像データと、
前記第１領域に色材により再現される第１の色が配置され、前記第２領域に前記第１の色とは異なり、色材により再現される第２の色が配置される前記第２画像を形成するための第２画像データと、
を含むことを特徴とする印刷装置。
【請求項２３】
記録媒体と、画像を形成するために前記記録媒体上に配置する色材と、によって形成されるプリント物であって、
前記画像は、第１画像の上に第２画像を形成することによって形成される画像であり、
前記第１画像は、第１領域と、入射光の正反射方向で前記第１領域よりも前記入射光の反射強度が大きく、かつ、前記入射光の非正反射方向で前記第１領域よりも前記入射光の反射強度が小さい第２領域と、が混在して含まれる領域が１つの領域として知覚される解像度で複数配置された画像であり、
前記第２画像は、前記第１領域に色材により再現される第１の色が配置され、前記第２領域に前記第１の色とは異なり、色材に再現される第２の色が配置される画像であることを特徴とするプリント物。
【請求項２４】
記録媒体上における第１画像の上に第２画像を重ねて画像を形成するための画像データを生成する画像処理方法であって、
色材により再現される第１の色と、色材により再現される、前記第１の色とは異なる第２の色と、を含む色情報を取得する第１取得ステップと、
第１領域と第２領域とが混在して含まれる第３領域を１つの領域として知覚される解像度で複数配置した前記第１画像を示す第１画像データを取得する第２取得ステップと、
前記色情報と前記第１画像データとに基づき、前記第１領域に前記第１の色が配置され、前記第２領域に前記第２の色が配置される前記第２画像を形成するための第２画像データを生成する第１生成ステップと、を有し、
前記第２取得ステップは、入射光の反射方向のうち所定の１つの方向における、前記第１領域での前記入射光の反射強度と前記第２領域での前記入射光の反射強度との比率が、前記反射方向のうち前記所定の１つの方向とは異なる１つの方向における前記比率と異なる比率となる前記第１画像データを取得することを特徴とする画像処理方法。
【請求項２５】
第１の色と、前記第１の色とは異なる第２の色と、を含む色情報を取得する取得ステップと、
前記第１の色を発色する、記録媒体上での色材の積層構造である第１構造を表す第１データを生成する第１生成ステップと、
前記第２の色を発色する、前記記録媒体上での色材の積層構造である第２構造を表す第２データを生成する第２生成ステップと、
前記第１データと前記第２データとに基づき、前記第１構造が前記記録媒体上で占める第１領域と、前記第２構造が前記記録媒体上で占める第２領域と、が混在して含まれる領域を１つの領域として知覚される解像度で複数配置されるように、前記第１構造と前記第２構造とを前記記録媒体上に配置するための配置データを生成する第３生成ステップと、を有し、
前記第１構造は無彩色の記録材の上に色材が積層された構造であり、前記第２構造は色材が積層された構造であることを特徴とする画像処理方法。
【請求項２６】
コンピュータを請求項１乃至請求項１０のいずれか一項又は、請求項１４又は、請求項１８乃至請求項２１のいずれか一項に記載の画像処理装置の各手段として機能させるためのプログラム。
【手続補正２】
【補正対象書類名】明細書
【補正対象項目名】０００７
【補正方法】変更
【補正の内容】
【０００７】
上記課題を解決するために、本発明に係る画像処理装置は、記録媒体上における第１画像の上に第２画像を重ねて画像を形成するための画像データを生成する画像処理装置であって、色材により再現される第１の色と、色材により再現される、前記第１の色とは異なる第２の色と、を含む色情報を取得する第１取得手段と、第１領域と第２領域とが混在して含まれる第３領域を１つの領域として知覚される解像度で複数配置した前記第１画像を示す第１画像データを取得する第２取得手段と、前記色情報と前記第１画像データとに基づき、前記第１領域に前記第１の色が配置され、前記第２領域に前記第２の色が配置される前記第２画像を生成するための第２画像データを形成する第１生成手段と、を有し、前記第２取得手段は、入射光の反射方向のうち所定の１つの方向における、前記第１領域での前記入射光の反射強度と前記第２領域での前記入射光の反射強度との比率が、前記反射方向のうち前記所定の１つの方向とは異なる１つの方向における前記比率と異なる比率となる前記第１画像データを取得することを特徴とする。